(57)【要約】【課題】手書き文字を含む技術文書からなるデータベースを対象とした手書き文書検索装置を提供する。【解決手段】本発明の手書き文書検索装置は、手書き文書および画像が手書き文書画像として、対応する文書ＩＤとともに登録された手書き文書画像データベースと、手書き文書画像が文字認識処理化されたデジタル文書が、前記文書ＩＤとともに登録されたデジタル文書データベースとを、備える記憶部と、デジタル文書データベースをキーワード検索してデジタル文書の文書ＩＤ集合を作成する文書検索部と、文書ＩＤ集合から文書ＩＤが選択されたとき、選択された文書ＩＤと、選択された文書ＩＤに対応するデジタル文書と手書き文書画像とを、表示する表示部とを備える。【選択図】図２
2019192113.tif 000002
【特許請求の範囲】
【請求項１】
手書き文書および画像が手書き文書画像として、対応する文書ＩＤとともに登録された手書き文書画像データベースと、前記手書き文書画像が文字認識処理化されたデジタル文書が、前記文書ＩＤとともに登録されたデジタル文書データベースとを、備える記憶部と、
キーワードが入力されたとき、前記キーワードを用いて前記デジタル文書データベースを検索してデジタル文書の集合を得て、前記検索されたデジタル文書の集合に対応する文書ＩＤ集合を作成する文書検索部と、
前記文書ＩＤ集合を表示し、前記文書ＩＤ集合から文書ＩＤが選択されたとき、前記選択された文書ＩＤと、前記選択された文書ＩＤに対応する前記デジタル文書データベースに登録されたデジタル文書と、前記選択された文書ＩＤに対応する前記手書き文書画像データベースに登録された手書き文書画像とを、表示する表示部とを、備える手書き文書検索装置。
【請求項２】
前記文書ＩＤが、手書き文書画像が作成された年月日情報を含むことを特徴とする請求項１に記載の手書き文書検索装置。
【請求項３】
検索されて得られた前記文書ＩＤ集合から選択された文書ＩＤの集合が、特定の年月日の日を含めてその日から過去１０日の一つまたは複数の範囲の作成年月日の手書き文書画像に対応する文書ＩＤからなる集合であることを特徴とする請求項１または２に記載の手書き文書検索装置。
【請求項４】
検索されて得られた前記文書ＩＤ集合から選択された文書ＩＤの集合が、特定の年月日の日を含めてその日から過去７日の一つまたは複数の範囲の作成年月日の手書き文書画像に対応する文書ＩＤからなる集合であることを特徴とする請求項１または２に記載の手書き文書検索装置。
【請求項５】
検索されて得られた前記文書ＩＤ集合から選択された文書ＩＤの集合が、特定の年月日の日を含めてその日から過去２日の一つまたは複数の範囲の作成年月日の手書き文書画像に対応する文書ＩＤからなる集合であることを特徴とする請求項１または２に記載の手書き文書検索装置。
【請求項６】
手書き文書および画像を手書き文書画像として、対応する文書ＩＤとともに記憶部が備える手書き文書画像データベースに登録し、さらに前記手書き文書画像を文字認識処理化したデジタル文書を作成して、前記文書ＩＤとともに前記記憶部が備えるデジタル文書データベースに登録する登録工程と、
文書検索部にキーワードが入力されたとき、前記キーワードを用いて前記デジタル文書データベースを検索してデジタル文書の集合を得て、前記検索されたデジタル文書の集合に対応する文書ＩＤ集合を作成する文書検索工程と、
文書検索工程において作成された前記文書ＩＤ集合を表示し、前記文書ＩＤ集合から文書ＩＤが選択されたとき、前記選択された文書ＩＤと、前記選択された文書ＩＤに対応する前記デジタル文書データベースに登録されたデジタル文書と、前記選択された文書ＩＤに対応する前記手書き文書画像データベースに登録された手書き文書画像とを、表示部に表示する表示工程とを、備える手書き文書検索方法。
【請求項７】
前記文書ＩＤが、手書き文書画像が作成された年月日情報を含み、文書検索工程において作成された前記文書ＩＤ集合から、特定の年月日の日を含めてその日から過去１０日の範囲を一つまたは複数選択し、一つまたは複数の前記範囲の作成年月日の手書き文書画像に対応する文書ＩＤからなる集合をさらに選択することを特徴とする請求項６に記載の手書き文書検索方法。
【請求項８】
前記文書ＩＤが、手書き文書画像が作成された年月日情報を含み、文書検索工程において作成された前記文書ＩＤ集合から、特定の年月日の日を含めてその日から過去７日の範囲を一つまたは複数選択し、一つまたは複数の前記範囲の作成年月日の手書き文書画像に対応する文書ＩＤからなる集合をさらに選択することを特徴とする請求項６に記載の手書き文書検索方法。
【請求項９】
前記文書ＩＤが、手書き文書画像が作成された年月日情報を含み、文書検索工程において作成された前記文書ＩＤ集合から、特定の年月日の日を含めてその日から過去２日の範囲を一つまたは複数選択し、一つまたは複数の前記範囲の作成年月日の手書き文書画像に対応する文書ＩＤからなる集合をさらに選択することを特徴とする請求項６に記載の手書き文書検索方法。
【発明の詳細な説明】
【技術分野】
【０００１】
本発明は、手書き文書検索装置および手書き文書検索方法に関する。
【背景技術】
【０００２】
高度経済成長期を中心とする時代の技術開発において作成された技術文書には、紙媒体に手書きで作成されているものがある。これらの手書きの技術文書は技術とノウハウの宝庫であり、現在直面している技術課題の解決に活用される場面もある。ただ、紙文書の形態では、倉庫保管のため取り寄せに時間がかかることや、紙文書のページを逐次めくって確認する必要があるため目的とする技術情報に到達するのに労力がかかること等の難点があり、蓄積された技術文書を十分に活用できていないという問題がある。
一方で近年、紙文書等が含む文字情報は、光学的読み取り装置などにより電子データとして画像データに変換し、その画像データに対して光学文字認識（Ｏｐｔｉｃａｌ  Ｃｈａｒａｃｔｅｒ  Ｒｅｃｏｇｎｉｔｉｏｎ：ＯＣＲ）処理を施し、画像データが含む文字情報を文字データとして抽出することにより、電子ファイル化することが行われている。前述した手書きの技術文書についても電子ファイル化して、迅速に検索、閲覧等の活用を行いたいという要求が高まっている。
【０００３】
手書きの技術文書に対する文字認識の精度は、現状の技術では十分とはいえず、認識精度向上の研究が盛んに行われている。例えば、特許文献１には、画像データを文字認識したとき複数の認識候補の文字データが得られた場合に、画像データの対応する位置に、複数の認識候補の文字データを付加して文書データを生成する文書データ生成手段を備えた文書データ生成装置が開示されている。特許文献２には、認識した文字データ候補から単語単位の複数のテキストデータを生成するためのテキストデータ生成手段および複数のテキストデータを画像と共に電子データとして保存する保存手段を含む情報処理装置が開示されている。
【先行技術文献】
【特許文献】
【０００４】
【特許文献１】特開２０１０−２１１４７０号公報
【特許文献２】特開２００９−２３０６７１号公報
【発明の概要】
【発明が解決しようとする課題】
【０００５】
特許文献１および２に開示された文書データは、蓄積データとして認識精度を向上させるためのテキストデータをさらに追加してデータ量を増加させているが、文字情報の誤認識が解消されたわけではない。さらに、画像データと従来より増しているテキストデータとを一体として保存しており、将来において認識精度が向上した文字認識方法を適用させようとしたときには画像データが含む過去に付加された誤認識のテキストデータは不要なものとなっている。
【課題を解決するための手段】
【０００６】
本発明は以下に示す構成を備える。
【０００７】
［１］手書き文書および画像が手書き文書画像として、対応する文書ＩＤとともに登録された手書き文書画像データベースと、前記手書き文書画像が文字認識処理化されたデジタル文書が、前記文書ＩＤとともに登録されたデジタル文書データベースとを、備える記憶部と、キーワードが入力されたとき、前記キーワードを用いて前記デジタル文書データベースを検索してデジタル文書の集合を得て、前記検索されたデジタル文書の集合に対応する文書ＩＤ集合を作成する文書検索部と、前記文書ＩＤ集合を表示し、前記文書ＩＤ集合から文書ＩＤが選択されたとき、前記選択された文書ＩＤと、前記選択された文書ＩＤに対応する前記デジタル文書データベースに登録されたデジタル文書と、前記選択された文書ＩＤに対応する前記手書き文書画像データベースに登録された手書き文書画像とを、表示する表示部とを、備える手書き文書検索装置。
［２］前記文書ＩＤが、手書き文書画像が作成された年月日情報を含むことを特徴とする前項１に記載の手書き文書検索装置。
［３］検索されて得られた前記文書ＩＤ集合から選択された文書ＩＤの集合が、特定の年月日の日を含めてその日から過去１０日の一つまたは複数の範囲の作成年月日の手書き文書画像に対応する文書ＩＤからなる集合であることを特徴とする前項１または２に記載の手書き文書検索装置。
［４］検索されて得られた前記文書ＩＤ集合から選択された文書ＩＤの集合が、特定の年月日の日を含めてその日から過去７日の一つまたは複数の範囲の作成年月日の手書き文書画像に対応する文書ＩＤからなる集合であることを特徴とする前項１または２に記載の手書き文書検索装置。
［５］検索されて得られた前記文書ＩＤ集合から選択された文書ＩＤの集合が、特定の年月日の日を含めてその日から過去２日の一つまたは複数の範囲の作成年月日の手書き文書画像に対応する文書ＩＤからなる集合であることを特徴とする前項１または２に記載の手書き文書検索装置。
［６］手書き文書および画像を手書き文書画像として、対応する文書ＩＤとともに記憶部が備える手書き文書画像データベースに登録し、さらに前記手書き文書画像を文字認識処理化したデジタル文書を作成して、前記文書ＩＤとともに前記記憶部が備えるデジタル文書データベースに登録する登録工程と、文書検索部にキーワードが入力されたとき、前記キーワードを用いて前記デジタル文書データベースを検索してデジタル文書の集合を得て、前記検索されたデジタル文書の集合に対応する文書ＩＤ集合を作成する文書検索工程と、文書検索工程において作成された前記文書ＩＤ集合を表示し、前記文書ＩＤ集合から文書ＩＤが選択されたとき、前記選択された文書ＩＤと、前記選択された文書ＩＤに対応する前記デジタル文書データベースに登録されたデジタル文書と、前記選択された文書ＩＤに対応する前記手書き文書画像データベースに登録された手書き文書画像とを、表示部に表示する表示工程とを、備える手書き文書検索方法。
［７］前記文書ＩＤが、手書き文書画像が作成された年月日情報を含み、文書検索工程において作成された前記文書ＩＤ集合から、特定の年月日の日を含めてその日から過去１０日を一つまたは複数選択し、一つまたは複数の前記範囲の年月日の作成年月日の手書き文書画像に対応する文書ＩＤからなる集合をさらに選択することを特徴とする前項６に記載の手書き文書検索方法。
［８］前記文書ＩＤが、手書き文書画像が作成された年月日情報を含み、文書検索工程において作成された前記文書ＩＤ集合から、特定の年月日の日を含めてその日から過去７日を一つまたは複数選択し、一つまたは複数の前記範囲の年月日の作成年月日の手書き文書画像に対応する文書ＩＤからなる集合をさらに選択することを特徴とする前項６に記載の手書き文書検索方法。
［９］前記文書ＩＤが、手書き文書画像が作成された年月日情報を含み、文書検索工程において作成された前記文書ＩＤ集合から、特定の年月日の日を含めてその日から過去２日を一つまたは複数選択し、一つまたは複数の前記範囲の年月日の作成年月日の手書き文書画像に対応する文書ＩＤからなる集合をさらに選択することを特徴とする前項６に記載の手書き文書検索方法。
【発明の効果】
【０００８】
手書き文字の認識精度が不十分であっても、検索用語とする技術用語は基本的に技術文書中に頻出するので、検索用語とした技術用語を含む技術文書は十分検索されてくる。そこで、本発明の手書き文書検索装置においては、手書き文書画像データベースとデジタル文書データベースとは別のデータベースとし、デジタル文書データベースに対して検索を行い、検索されたデジタル文書の集合に対応する文書ＩＤ集合を得る。次に、得られた文書ＩＤ集合から文書ＩＤを選択すると、手書き文書画像データベースから選択された文書ＩＤに対応する手書き文書画像を確認することができる。本発明の手書き文書検索装置では、手書き文書画像データベースとデジタル文書データベースとが別に構成されており、検索の際には、テキストデータの付加されたデータ量の大きい画像データを対象とはせず、テキストデータのみのデジタル文書を含むデータベース検索すればよく、軽快に検索することができる。また、手書き文書画像データベースとデジタル文書データベースとが別に構成されているので、将来においてより認識精度の高い文字認識方法が得られたときには、その文字認識方法を用いて手書き文書画像データベースに登録された手書き文書画像に対して文字認識処理をあらためて行い、得られたより認識精度の高い文字情報を、対応する文書ＩＤのデジタル文書としてデジタル文書データベースに登録し直すことにより、デジタル文書データベースのみを更新することができる。
【図面の簡単な説明】
【０００９】
【図１】実施形態に係る手書き文書検索装置のハードウェア構成例を示す図である。
【図２】実施形態に係る手書き文書検索装置の機能構成例を示す図である。
【図３】第１の実施形態に係る手書き文書画像データベースおよびデジタル文書データベースのデータ構成例を示す図である。
【図４】第２の実施形態に係る手書き文書画像データベースおよびデジタル文書データベースのデータ構成例を示す図である。
【図５】手書き文書の梱包単位と、手書き文書画像の作成単位と、複数のデジタル文書作成主体によりデジタル文書が作成される単位の関係の一例を示す概念図である。
【発明を実施するための形態】
【００１０】
以下、本発明の手書き文書検索装置および手書き文書検索方法について詳細に説明する。
本発明の手書き文書検索装置は、画像入力装置およびコンピュータを含む文書データを扱う装置であり、図１に例として示すようにバスを介して接続されるＣＰＵ（Ｃｅｎｔｒａｌ  Ｐｒｏｃｅｓｓｉｎｇ  Ｕｎｉｔ）、主記憶装置、補助記憶装置、光学記録媒体、表示装置、通信インターフェース、操作入力装置、および画像入力装置を含むコンピュータを備えて構成され、図２に例として示す各機能部の機能を実現する。
【００１１】
（手書き文書検索装置）
本発明の手書き文書検索装置は、記憶部、文書検索部および表示部を備える。
【００１２】
（記憶部）
本発明の手書き文書検索装置が備える記憶部は、手書き文書画像データベースとデジタル文書データベースとを備える。
【００１３】
（手書き文書画像データベース）
本発明においては、手書き文字を含む技術文書からなる手書き文書等の画像が含む情報を検索する情報の対象としている。技術文書としては、紙媒体に手書きで作成された記録ノートや報告書等、手書き文字情報を含む設計図面や写真等、手書き文字情報の付加された印刷物や測定記録紙等が挙げられる。
記憶部が備える手書き文書画像データベースには、前述した技術文書が手書き文書画像として、対応する文書ＩＤとともに登録される。文書ＩＤについては後述する。
前述した技術文書から手書き文書画像を作成する方法としては、後述する文字認識処理を行うのに十分な解像度と階調度を有するデジタル画像データとして作成され得る限り特に限定されず、公知の画像入力装置を用いて作成することができる。画像入力装置としては、コピー機、イメージスキャナ、ならびにデジタルカメラが備えるＣＣＤ（Ｃｈａｒｇｅ  Ｃｏｕｐｌｅｄ  Ｄｅｖｉｃｅ）イメージセンサおよびＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ等を挙げることができる。画像入力装置で読込まれて作成された手書き文書画像が、手書き文書画像データベースに登録される。なお、手書き文書画像データベースは、シリコンメモリ、磁気記録メモリ等の補助記憶装置または光学記録媒体に記録されていてもよく、通信インターフェースを介して接続された他のコンピュータおよび記憶システムに記録されていてもよい。
【００１４】
（文書ＩＤ）
本発明の手書き文書検索装置において用いる文書ＩＤとは、手書き文書画像データベースに登録された手書き文書画像と、デジタル文書データベースに登録されたデジタル文書との組合せを対応させるとともに、他の組合せと混同させないための文書識別符号である。文書ＩＤは、本発明の第１の実施形態として図３に示すように最も単純な場合には数字の羅列で表すことができる。
文書ＩＤは、本発明の第２の実施形態として図４に示すように、手書き文書画像の作成された年月日情報を含んでもよい。この場合、文書ＩＤは、例えば作成された年月日情報と、付加された枝番号で構成されてもよい。
【００１５】
（デジタル文書データベース）
記憶部が備えるデジタル文書データベースは、前述した手書き文書画像が文字認識処理化されたデジタル文書が、対応する手書き文書画像の文書ＩＤとともに登録される。手書き文書画像を文字認識処理する方法としては、特に制限されず公知の方法を用いることができる。市販のＯＣＲ処理ソフトウェアとしては、例えば文字認識・ＯＣＲソフト「e.Typist v.15.0」（株式会社エヌジェーケー製）を用いることができる。デジタル文書は、文字認識処理されて得た文字情報で構成されるテキストファイルである。
デジタル文書を作成する主体が複数あるときは、作成主体を識別できる識別符号が、前述した文書ＩＤの枝番号にさらに付加されてもよい。手書き文書の保管は、手書き文書の作成された年月日の近い範囲の単位で梱包され、保管されていることが多い。図５に示すように、手書き文書の梱包された単位で手書き文書画像の単位が作成され、複数のデジタル文書作成主体ごとに手書き文書画像の単位でデジタル文書が作成されていくと、手書き文書画像の作成された年月日の近い範囲に、元になった手書き文書の梱包単位に対応するデジタル文書が、少なくともその一部が、集中することが考えられる。
【００１６】
（文書検索部）
本発明の手書き文書検索装置が備える文書検索部は、キーワードが入力されたとき、キーワードを用いて前述したデジタル文書データベースをテキスト検索してデジタル文書の集合を得て、検索されたデジタル文書の集合に対応する文書ＩＤ集合を作成する。
作成される文書ＩＤ集合は、文書ＩＤが手書き文書画像の作成された年月日情報を含む場合には、検索されたデジタル文書の集合中のデジタル文書の数と年月日の集中度合いとの関係を示す情報を含んでもよい。デジタル文書数と年月日の集中度合いとの関係は、例えば、横軸が年月日で、縦軸がデジタル文書数の棒グラフで表される。
予め決められた枠線内に種類の制限された文字のみが記入される、いわゆる構造化された文書に対して行われる文字認識処理とは異なり、手書き文書画像に対して行う文字認識では、認識精度が低下することはやむを得ない。一方で、技術文書には、開発技術分野の特定の技術用語が頻出するという特徴がある。よって、文字認識の精度が低くても、手書き文字を含む技術文書に由来するデジタル文書には、キーワードとする特定の技術用語が基本的に含まれており、キーワードとして特定の技術用語を適切に選択することにより、目的とする技術文書を見つけ出すことができる。
作成される文書ＩＤ集合は、好ましくは、テキスト検索した際に得られる、デジタル文書中における、キーワードとして用いた特定の技術用語の頻出頻度を、文書ＩＤごとに付加して含んでもよい。
【００１７】
（表示部）
本発明の手書き文書検索装置が備える表示部は、前述した文書検索部において作成された文書ＩＤ集合を表示し、文書ＩＤ集合から文書ＩＤが選択されたとき、選択された文書ＩＤと、選択された文書ＩＤに対応するデジタル文書データベースに登録されたデジタル文書と、選択された文書ＩＤに対応する手書き文書画像データベースに登録された手書き文書画像とを表示する。
表示部に文書ＩＤ集合が表示され、文書ＩＤ集合が含む文書ＩＤは、一つまたは複数選択される。文書ＩＤ集合からの文書ＩＤの選択に際して、文書ＩＤが手書き文書画像の作成された年月日情報を含む場合には、作成された年月日の範囲で選択することもできる。作成された年月日の近い複数の手書き文書画像に対応する文書ＩＤの集合をさらに選択することもできる。文書ＩＤ集合がデジタル文書数と年月日の集中度合いとの関係を示す情報を含む場合には、その情報も表示され、文書ＩＤ集合からの文書ＩＤの選択に際して、さらに年月日の範囲を絞って複数の文書ＩＤを選択することもできる。例えば、以下のように年月日の範囲を絞ることが考えられる。得られた文書ＩＤ集合が相当数の文書ＩＤを含む場合には、年月日の集中度合いから特定の年月日の一つまたは複数を選択して、その日を含めてその日から過去数日の範囲を一つまたは複数含む文書ＩＤ集合を作成することができる。前述の過去数日の期間は、１０日間であることが好ましく、７日間であることがより好ましく、２日間であることがさらに好ましい。年月日の範囲を絞って得られた文書ＩＤ集合について、再度年月日の範囲を絞って複数の文書ＩＤを選択することもできる。
文書ＩＤ集合から文書ＩＤが選択されたとき、表示部は、選択された文書ＩＤと、選択された文書ＩＤが特定の技術用語の頻出頻度が付加されている場合には、その頻出頻度とを表示する。表示部は、さらに、デジタル文書データベースからは、選択された文書ＩＤに対応するデジタル文書を呼び出してそのデジタル文書を表示し、手書き文書画像データベースからは、選択された文書ＩＤに対応する手書き文書画像を呼び出してその手書き文書画像を表示する。文書ＩＤを介して対応するデジタル文書と手書き文書画像とを対比して表示することにより、手書き文書画像が含む文字情報の認識精度が低くても、目標とする文書にたどり着いたときには、人の目で見て技術情報を確認することができる。
複数の文書ＩＤが選択された場合には、複数の選択された文書ＩＤ、デジタル文書および手書き文書画像の組合せが、指定される文書ＩＤに応じて、順次切り替えて表示される。複数の文書ＩＤを選択して、特に作成された年月日の近い複数の技術文書にたどり着いたとき、目的とする技術情報がいずれかの技術文書に含まれる可能性は極めて高い。
【００１８】
（手書き文書検索方法）
本発明の手書き文書検索方法は、手書き文書および画像を手書き文書画像として、対応する文書ＩＤとともに記憶部が備える手書き文書画像データベースに登録し、さらに前記手書き文書画像を文字認識処理化したデジタル文書を作成して、前記文書ＩＤとともに前記記憶部が備えるデジタル文書データベースに登録する登録工程と、文書検索部にキーワードが入力されたとき、前記キーワードを用いて前記デジタル文書データベースを検索してデジタル文書の集合を得て、前記検索されたデジタル文書の集合に対応する文書ＩＤ集合を作成する文書検索工程と、文書検索工程において作成された前記文書ＩＤ集合を表示し、前記文書ＩＤ集合から文書ＩＤが選択されたとき、前記選択された文書ＩＤと、前記選択された文書ＩＤに対応する前記デジタル文書データベースに登録されたデジタル文書と、前記選択された文書ＩＤに対応する前記手書き文書画像データベースに登録された手書き文書画像とを、表示部に表示する表示工程とを備える。
【００１９】
前記文書ＩＤが、手書き文書画像が作成された年月日情報を含み、文書検索工程において作成された前記文書ＩＤ集合から、作成された年月日の近い複数の手書き文書画像に対応する文書ＩＤの集合をさらに選択することもできる。具体的には前述した、年月日の範囲を絞って複数の文書ＩＤを選択する方法で行うことができる。
【産業上の利用可能性】
【００２０】
本発明の手書き文書検索装置および手書き文書検索方法は、手書き文字を含む技術文書からなるデータベースを対象とした検索装置全般において好適に適用することができる。
【図１】
2019192113.tif 000003
【図２】
2019192113.tif 000004
【図３】
2019192113.tif 000005
【図４】
2019192113.tif 000006
【図５】
2019192113.tif 000007